(57)【要約】  本発明は、複数のシングルキャリア直交周波数分割多重シンボルからなるフレームが送信元と受信機との間で転送される無線通信システムに関する。フレームは、少なくとも１つのハイブリッドシンボルと、他の離散フーリエ変換されたデータのみからなるシンボルとから構成される。少なくとも１つのハイブリッドシンボルは、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成される。少なくとも１つのパイロットシーケンスは、当該少なくとも１つのパイロットシーケンスにわたって離散フーリエ変換を行った後に得られる振幅の変動が制限されているという特性を有する。
2013529015.tif 000002
【特許請求の範囲】
【請求項１】
シングルキャリア直交周波数分割多重方式を用いて、データと、送信元と少なくとも１つの受信機との間の無線リンクの推定を可能にする情報とを転送する方法であって、該方法は、所与の数の直交周波数分割多重変調されたシンボルについて実行されるステップであって、
−  １つのハイブリッドシンボルを形成するステップであって、該１つのハイブリッドシンボルは、該ハイブリッドシンボルがマッピングされるサブキャリアの少なくとも一部の中の２つのうちの１つのサブキャリアにマッピングされる少なくとも１つのパイロットシーケンスと、該少なくとも１つのパイロットシーケンスがマッピングされる２つのサブキャリアの間に含まれるサブキャリアに少なくともマッピングされる離散フーリエ変換されたデータとから構成され、少なくとも１つのパイロットシーケンスは、該少なくとも１つのパイロットシーケンスにわたって離散フーリエ変換を行った後に得られる振幅の変動が制限されているという特性を有する、形成するステップと、
−  他のシンボルを離散フーリエ変換されたデータのみによって形成するステップと、
−  前記直交周波数分割多重変調されたシンボルを形成するために、前記シンボルの直交周波数分割多重変調を行うステップと、
−  前記直交周波数分割多重変調されたシンボルを転送するステップと
を含むことを特徴とする、シングルキャリア直交周波数分割多重方式を用いて、データと、送信元と少なくとも１つの受信機との間の無線リンクの推定を可能にする情報とを転送する方法。
【請求項２】
前記少なくとも１つのパイロットシーケンスは、サンプリング周期の２分の１だけ時間シフトされることを特徴とする、請求項１に記載の方法。
【請求項３】
前記少なくとも１つのパイロットシーケンスは、Ｚａｄｏｆｆ−Ｃｈｕシーケンスであることを特徴とする、請求項１又は２に記載の方法。
【請求項４】
離散フーリエ変換されたデータは、データを符号化及び変調することによって得られる基本シンボルであって、更に離散フーリエ変換される基本シンボルから得られることを特徴とする、請求項１〜３のいずれか一項に記載の方法。
【請求項５】
２つの基本シンボルのうちの１つについて、所定の角度値のコンステレーションシフトが行われることを特徴とする、請求項４に記載の方法。
【請求項６】
前記変調は４位相偏移変調であり、所定の値は４５に等しいことを特徴とする、請求項５に記載の方法。
【請求項７】
前記送信元は、前記直交周波数分割多重変調されたシンボルを転送する複数のアンテナを有することを特徴とする、請求項１〜６のいずれか一項に記載の方法。
【請求項８】
少なくとも１つのハイブリッドシンボルについて、データがマッピングされるサブキャリアに割り当てられる電力は、１つ又は複数のパイロットシーケンスがマッピングされるサブキャリアに割り当てられる電力とは異なることを特徴とする、請求項１〜７のいずれか一項に記載の方法。
【請求項９】
シングルキャリア直交周波数分割多重方式を用いて送信元と受信機との間の無線リンクを推定する方法であって、該方法は、所与の数のシングルキャリア直交周波数分割多重シンボルについて実行されるステップであって、
−  受信されたシンボルを時間領域から周波数領域に変換するステップと、
−  少なくとも１つのハイブリッドシンボルであって、該ハイブリッドシンボルがマッピングされるサブキャリアの少なくとも一部の中の２つのうちの１つのサブキャリアにマッピングされる少なくとも１つのパイロットシーケンスと、該少なくとも１つのパイロットシーケンスがマッピングされる２つのサブキャリアの間に含まれるサブキャリアに少なくともマッピングされる離散フーリエ変換されたデータとから構成される、少なくとも１つのハイブリッドシンボルについて、前記少なくとも１つのパイロットシーケンスがマッピングされるサブキャリア上のリンクを推定するステップであって、少なくとも１つのパイロットシーケンスは、該少なくとも１つのパイロットシーケンスにわたって離散フーリエ変換を行った後に得られる振幅の変動が制限されているという特性を有する、推定するステップと、
−  上記少なくとも１つのハイブリッドシンボルであって、該ハイブリッドシンボルがマッピングされるサブキャリアの少なくとも一部の中の２つのうちの１つのサブキャリアにマッピングされる少なくとも１つのパイロットシーケンスと、該少なくとも１つのパイロットシーケンスがマッピングされる２つのサブキャリアの間に含まれるサブキャリアに少なくともマッピングされる離散フーリエ変換されたデータとからそれぞれ構成される、少なくとも１つのハイブリッドシンボルについて、データがマッピングされるサブキャリア上のチャネルの推定を可能にするために、周波数補間及び平滑化を行うことによって全てのサブキャリアについてチャネル応答を推定するステップと、
−  他のシンボルについて、１つの前記ハイブリッドシンボルについて行われた１つの前記推定又は複数の前記ハイブリッドシンボルについて行われた複数の前記推定に少なくとも基づいて、チャネル応答を推定するステップと
を含むことを特徴とする、シングルキャリア直交周波数分割多重方式を用いて送信元と受信機との間の無線リンクを推定する方法。
【請求項１０】
前記少なくとも１つのパイロットシーケンスは、サンプリング周期の２分の１だけ時間シフトされることを特徴とする、請求項９に記載の方法。
【請求項１１】
シングルキャリア直交周波数分割多重方式を用いて、データと、送信元と少なくとも１つの受信機との間の無線リンクの推定を可能にする情報とを転送するデバイスであって、
−  １つのハイブリッドシンボルを形成する手段であって、該１つのハイブリッドシンボルは、該ハイブリッドシンボルがマッピングされるサブキャリアの少なくとも一部の中の２つのうちの１つのサブキャリアにマッピングされる少なくとも１つのパイロットシーケンスと、該少なくとも１つのパイロットシーケンスがマッピングされる２つのサブキャリアの間に含まれるサブキャリアに少なくともマッピングされる離散フーリエ変換されたデータとから構成され、少なくとも１つのパイロットシーケンスは、該少なくとも１つのパイロットシーケンスにわたって離散フーリエ変換を行った後に得られる振幅の変動が制限されているという特性を有する、形成する手段と、
−  他のシンボルを離散フーリエ変換されたデータのみによって形成する手段と、
−  直交周波数分割多重変調されたシンボルを形成するために、前記シンボルの直交周波数分割多重変調を行う手段と、
−  前記直交周波数分割多重変調されたシンボルを転送する手段と
を備えることを特徴とする、シングルキャリア直交周波数分割多重方式を用いて、データと、送信元と少なくとも１つの受信機との間の無線リンクの推定を可能にする情報とを転送するデバイス。
【請求項１２】
シングルキャリア直交周波数分割多重方式を用いて送信元と少なくとも１つの受信機との間の無線リンクを推定するデバイスであって、
−  受信されたシンボルを時間領域から周波数領域に変換する手段と、
−  少なくとも１つのハイブリッドシンボルであって、該ハイブリッドシンボルがマッピングされるサブキャリアの少なくとも一部の中の２つのうちの１つのサブキャリアにマッピングされる少なくとも１つのパイロットシーケンスと、該少なくとも１つのパイロットシーケンスがマッピングされる２つのサブキャリアの間に含まれるサブキャリアに少なくともマッピングされる離散フーリエ変換されたデータとから構成される、少なくとも１つのハイブリッドシンボルについて、前記少なくとも１つのパイロットシーケンスがマッピングされるサブキャリア上のリンクを推定する手段であって、少なくとも１つのパイロットシーケンスは、該少なくとも１つのパイロットシーケンスにわたって離散フーリエ変換を行った後に得られる振幅の変動が制限されているという特性を有する、推定する手段と、
−  上記少なくとも１つのハイブリッドシンボルであって、該ハイブリッドシンボルがマッピングされるサブキャリアの少なくとも一部の中の２つのうちの１つのサブキャリアにマッピングされる少なくとも１つのパイロットシーケンスと、該少なくとも１つのパイロットシーケンスがマッピングされる２つのサブキャリアの間に含まれるサブキャリアにマッピングされる離散フーリエ変換されたデータとからそれぞれ構成される、少なくとも１つのハイブリッドシンボルについて、データがマッピングされるサブキャリア上のチャネルの推定を可能にするために、周波数補間及び平滑化を行うことによって全てのサブキャリアについてチャネル応答を推定する手段と、
−  他のシンボルについて、１つの前記ハイブリッドシンボルについて行われた１つの前記推定又は複数の前記ハイブリッドシンボルについて行われた複数の前記推定に少なくとも基づいて、チャネル応答を推定する手段と
を備えることを特徴とする、シングルキャリア直交周波数分割多重方式を用いて送信元と受信機との間の無線リンクを推定するデバイス。
【請求項１３】
プログラム可能デバイス内に直接ロード可能とすることができるコンピュータプログラムであって、該コンピュータプログラムがプログラム可能デバイスにおいて実行されると請求項１〜８に記載の方法の前記ステップを実施する命令又はコード部を含む、コンピュータプログラム。
【請求項１４】
プログラム可能デバイス内に直接ロード可能とすることができるコンピュータプログラムであって、該コンピュータプログラムがプログラム可能デバイスにおいて実行されると請求項９又は１０に記載の方法の前記ステップを実施する命令又はコード部を含む、コンピュータプログラム。
【請求項１５】
複数のシングルキャリア直交周波数分割多重シンボルからなるフレームであって、
−  少なくとも１つのハイブリッドシンボルであって、該少なくとも１つのハイブリッドシンボルは、該ハイブリッドシンボルがマッピングされるサブキャリアの少なくとも一部の中の２つのうちの１つのサブキャリアにマッピングされる少なくとも１つのパイロットシーケンスと、該少なくとも１つのパイロットシーケンスがマッピングされる２つのサブキャリアの間に含まれるサブキャリアに少なくともマッピングされる離散フーリエ変換されたデータとから構成され、少なくとも１つのパイロットシーケンスは、該少なくとも１つのパイロットシーケンスにわたって離散フーリエ変換を行った後に得られる振幅の変動が制限されているという特性を有する、少なくとも１つのハイブリッドシンボルと、
−  他の離散フーリエ変換されたデータのみからなるシンボルと
から構成されることを特徴とする、複数のシングルキャリア直交周波数分割多重シンボルからなるフレーム。
【発明の詳細な説明】
【技術分野】
【０００１】
本発明は、包括的には、シングルキャリア直交周波数分割多重方式を用いて、データと、送信元と受信機との間の無線リンクの推定を可能にする情報とを転送する方法及びデバイスに関する。
【背景技術】
【０００２】
シングルキャリア直交周波数分割多重変調方式は、直交周波数分割多重型の多重化を用いるが、シングルキャリアのような包絡線を有する変調方式である。この方式は、時間領域又は周波数領域のいずれかにおいて実施することができ、離散フーリエ変換拡散直交周波数分割多重とも呼ばれる。
【０００３】
直交周波数分割多重に関する主な利点は、離散フーリエ変換プリコーディングが信号のシングルキャリア特性、すなわち低いピーク対平均電力比を回復するということである。
【０００４】
パイロットシーケンスの送信は、送信元と受信機との間の無線リンクの推定値を求めることを可能にするのに必要である。送信された信号のピーク対平均電力比構造を全く悪化させることなくシングルキャリア直交周波数分割多重変調方式のデータを用いてパイロットシーケンスを拡散させることはできないと一般に考えられている。
【０００５】
そのため、３ＧＰＰ  ＴＳＧ−ＲＡＮのTR 25.814：「Physical Layer Aspects for Evolved UTRA」, Version 7.1.0, 2006-09では、パイロットシーケンスは、全てのサブキャリアにマッピングされ、パイロットシンボルとして参照される。そのようなパイロットシンボルは、定期的にフレームに挿入される。この場合、チャネル推定を行う従来の方法は、パイロットシンボルの位置でチャネルを推定することであり、２つのパイロットシンボルの間の時間補間を行うことによって、最終的に全ての位置でチャネルが推定される。
【０００６】
この従来の方法の欠点は、時間補間の際に現れる。データスループットを低減しすぎないためには、挿入されるパイロットシンボルの数を制限しなければならない。例えば、パイロットの挿入率が１／１２である場合、これはパイロットシンボルが１２個の直交周波数分割多重シンボルごとに挿入されることを意味する。これによって、システムが例えばドップラー効果に起因した信号のチャネル変動に追従する能力が制限される。
【０００７】
ナイキストの定理によれば、直交周波数分割多重化速度が１／Ｔｓである場合、最大許容可能ドップラー周波数の限界は、
【数１】
2013529015.tif 000003
に等しい。
【０００８】
この限界は、関連する推定方法ではなく、パイロット構造自体に起因している。
【発明の概要】
【発明が解決しようとする課題】
【０００９】
本発明は、シングルキャリア直交周波数分割多重変調方式の低いピーク対平均電力比構造を維持しながら、チャネル変動の良好な追従を可能にする方法及びデバイスを提供することを目的とする。
【課題を解決するための手段】
【００１０】
この目的のために、本発明は、シングルキャリア直交周波数分割多重方式を用いて、データと、送信元と少なくとも１つの受信機との間の無線リンクの推定を可能にする情報とを転送する方法に関する。この方法は、所与の数の直交周波数分割多重変調されたシンボルについて実行されるステップであって、
−  １つのハイブリッドシンボルを形成するステップであって、当該１つのハイブリッドシンボルは、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成され、少なくとも１つのパイロットシーケンスは、当該少なくとも１つのパイロットシーケンスにわたって離散フーリエ変換を行った後に得られる振幅の変動が制限されているという特性を有する、形成するステップと、
−  他のシンボルを離散フーリエ変換されたデータのみによって形成するステップと、
−  直交周波数分割多重変調されたシンボルを形成するために、シンボルの直交周波数分割多重変調を行うステップと、
−  直交周波数分割多重変調されたシンボルを転送するステップと
を含むことを特徴とする。
【００１１】
また、本発明は、シングルキャリア直交周波数分割多重方式を用いて、データと、送信元と少なくとも１つの受信機との間の無線リンクの推定を可能にする情報とを転送するデバイスにも関する。このデバイスは、
−  １つのハイブリッドシンボルを形成する手段であって、当該１つのハイブリッドシンボルは、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成され、少なくとも１つのパイロットシーケンスは、当該少なくとも１つのパイロットシーケンスにわたって離散フーリエ変換を行った後に得られる振幅の変動が制限されているという特性を有する、形成する手段と、
−  他のシンボルを離散フーリエ変換されたデータのみによって形成する手段と、
−  直交周波数分割多重変調されたシンボルを形成するために、シンボルの直交周波数分割多重変調を行う手段と、
−  直交周波数分割多重変調されたシンボルを転送する手段と
を備えることを特徴とする。
【００１２】
したがって、ハイブリッドシンボルはデータを含むので、データスループットを低減することなく、ハイブリッドシンボルの周期性を高めることができ、シングルキャリア直交周波数分割多重変調方式の低いピーク対平均電力比構造を維持しつつ、チャネル変動がより効率的に追従される。
【００１３】
本願の発明者らは、ハイブリッドシンボルがマッピングされるサブキャリアの少なくとも一部の中の２つのうちの１つのサブキャリアに少なくとも１つのパイロットシーケンスをマッピングするとともに、この少なくとも１つのパイロットシーケンスがマッピングされる２つのサブキャリアの間に含まれるサブキャリアに離散フーリエ変換されたデータをマッピングすることによって、シングルキャリア直交周波数分割多重変調方式の低いピーク対平均電力比構造が維持されることを見出した。
【００１４】
特定の特徴によれば、少なくとも１つのパイロットシーケンスは、サンプリング周期の２分の１だけ時間シフトされる。
【００１５】
したがって、ピーク対平均電力比が改善される。
【００１６】
本願の発明者は、周波数次元又は時間次元におけるグローバル信号が、データ及びパイロットシーケンスの２つの多重化された信号を足し合わせたものに対応することを見出した。補間は線形プロセスであるので、補間されたグローバル信号は、補間されたデータ信号及び補間されたパイロット信号の２つの信号を足し合わせたものにも対応する。
【００１７】
時間領域におけるデータについて、補間が行われず、かつｘ位相シフトキーイングコンステレーションが用いられる場合、各サンプル周期において一定の振幅が得られ、補間後の最大ピークはこれらの時刻のちょうど中間に位置する。同じ現象は、整数個のサンプリング周期だけシフトされた少なくとも１つのパイロットシーケンスにわたって離散フーリエ変換を行った後にもほぼ一定の振幅が得られるという特性を有するパイロットシーケンスを用いる際に生じる。
【００１８】
したがって、この場合、２つの信号が加算される。それらの信号のピークは同じ位置に存在する。サンプリング周期の２分の１だけパイロットシーケンスを時間シフトすることによって、各信号のピークは直ちにインターリーブされる。これは、２つの信号を足し合わせたものであるグローバル信号のピークが低減されることを意味する。
【００１９】
一定でないコンステレーション、例えば１６直交振幅変調又は６４直交振幅変調が用いられる場合、振幅はもはや各サンプル周期において一定ではあるとは限らない。しかしながら、ピークはそれでも同じ位置、すなわちこれらの時刻のちょうど中間に存在し、グローバル信号のピークは、パイロットシーケンスを変更することによって依然として低減されることになる。
【００２０】
特定の特徴によれば、少なくとも１つのパイロットシーケンスは、Ｚａｄｏｆｆ−Ｃｈｕシーケンスである。
【００２１】
したがって、ピーク対平均電力比が改善される。
【００２２】
特定の特徴によれば、離散フーリエ変換されたデータは、データを符号化及び変調することによって得られる基本シンボルであって、更に離散フーリエ変換される基本シンボルから得られる。
【００２３】
特定の特徴によれば、２つの基本シンボルのうちの１つについて、所定の角度値のコンステレーションシフトが行われる。
【００２４】
したがって、ピーク対平均電力比が改善される。
【００２５】
特定の特徴によれば、変調は４位相偏移変調であり、所定の値は４５に等しい。
【００２６】
したがって、ピーク対平均電力比が改善される。
【００２７】
特定の特徴によれば、送信元は、直交周波数分割多重変調されたシンボルを転送する複数のアンテナを有する。
【００２８】
したがって、多入力送信システムにおけるピーク対平均電力比が改善される。
【００２９】
特定の特徴によれば、少なくとも１つのハイブリッドシンボルについて、データがマッピングされるサブキャリアに割り当てられる電力は、１つ又は複数のパイロットシーケンスがマッピングされるサブキャリアに割り当てられる電力とは異なる。
【００３０】
したがって、データがマッピングされるサブキャリアに割り当てられる電力が、１つ又は複数のパイロットシーケンスがマッピングされるサブキャリアに割り当てられる電力よりも低い場合、チャネル推定値が改善される。そのような特徴は、大きな遅延広がりの場合に特に有効である。
【００３１】
したがって、データがマッピングされるサブキャリアに割り当てられる電力が、１つ又は複数のパイロットシーケンスがマッピングされるサブキャリアに割り当てられる電力よりも高い場合、データに対する干渉が低減される。そのような特徴は、小さな遅延広がりの場合に特に有効である。
【００３２】
また、本発明は、シングルキャリア直交周波数分割多重方式を用いて送信元と受信機との間の無線リンクを推定する方法にも関する。この方法は、所与の数のシングルキャリア直交周波数分割多重シンボルについて実行されるステップであって、
−  受信されたシンボルを時間領域から周波数領域に変換するステップと、
−  少なくとも１つのハイブリッドシンボルであって、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成される、少なくとも１つのハイブリッドシンボルについて、上記少なくとも１つのパイロットシーケンスがマッピングされるサブキャリア上のリンクを推定するステップであって、少なくとも１つのパイロットシーケンスは、当該少なくとも１つのパイロットシーケンスにわたって離散フーリエ変換を行った後に得られる振幅の変動が制限されているという特性を有する、推定するステップと、
−  上記少なくとも１つのハイブリッドシンボルであって、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとからそれぞれ構成される、少なくとも１つのハイブリッドシンボルについて、データがマッピングされるサブキャリア上のチャネルの推定を可能にするために、周波数補間及び平滑化を行うことによって全てのサブキャリアについてチャネル応答を推定するステップと、
−  他のシンボルについて、１つのハイブリッドシンボルについて行われた１つの推定又は複数のハイブリッドシンボルについて行われた複数の推定に少なくとも基づいて、チャネル応答を推定するステップと
を含むことを特徴とする。
【００３３】
また、本発明は、シングルキャリア直交周波数分割多重方式を用いて送信元と１つの受信機との間の無線リンクを推定するデバイスにも関する。このデバイスは、
−  受信されたシンボルを時間領域から周波数領域に変換する手段と、
−  少なくとも１つのハイブリッドシンボルであって、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成される、少なくとも１つのハイブリッドシンボルについて、上記少なくとも１つのパイロットシーケンスがマッピングされるサブキャリア上のリンクを推定する手段であって、少なくとも１つのパイロットシーケンスは、当該少なくとも１つのパイロットシーケンスにわたって離散フーリエ変換を行った後に得られる振幅の変動が制限されているという特性を有する、推定する手段と、
−  上記少なくとも１つのハイブリッドシンボルであって、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアにマッピングされる離散フーリエ変換されたデータとからそれぞれ構成される、少なくとも１つのハイブリッドシンボルについて、データがマッピングされるサブキャリア上のチャネルの推定を可能にするために、周波数補間及び平滑化を行うことによって全てのサブキャリアについてチャネル応答を推定する手段と、
−  他のシンボルについて、１つのハイブリッドシンボルについて行われた１つの推定又は複数のハイブリッドシンボルについて行われた複数の推定に少なくとも基づいて、チャネル応答を推定する手段と
を備えることを特徴とする。
【００３４】
したがって、ハイブリッドシンボルはデータを含むので、データスループットを低減することなく、ハイブリッドシンボルの周期性を高めることができ、シングルキャリア直交周波数分割多重変調方式の低いピーク対平均電力比構造を維持しつつ、チャネル変動がより効率的に追従される。
【００３５】
本願の発明者らは、ハイブリッドシンボルがマッピングされるサブキャリアの少なくとも一部の中の２つのうちの１つのサブキャリアに少なくとも１つのパイロットシーケンスをマッピングするとともに、この少なくとも１つのパイロットシーケンスがマッピングされる２つのサブキャリアの間に含まれるサブキャリアに離散フーリエ変換されたデータをマッピングすることによって、シングルキャリア直交周波数分割多重変調方式の低いピーク対平均電力比構造が維持されることを見出した。
【００３６】
また、本発明は、複数のシングルキャリア直交周波数分割多重シンボルからなるフレームにも関する。このフレームは、
−  少なくとも１つのハイブリッドシンボルであって、当該少なくとも１つのハイブリッドシンボルは、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成され、少なくとも１つのパイロットシーケンスは、当該少なくとも１つのパイロットシーケンスにわたって離散フーリエ変換を行った後に得られる振幅の変動が制限されているという特性を有する、少なくとも１つのハイブリッドシンボルと、
−  他の離散フーリエ変換されたデータのみからなるシンボルと
からなることを特徴とする。
【００３７】
したがって、ハイブリッドシンボルはデータを含むので、データスループットを低減することなく、ハイブリッドシンボルの周期性を高めることができ、シングルキャリア直交周波数分割多重変調方式の低いピーク対平均電力比構造を維持しつつ、チャネル変動がより効率的に追従される。
【００３８】
更に別の態様によれば、本発明は、プログラム可能デバイス内に直接ロード可能とすることができるコンピュータプログラムであって、当該コンピュータプログラムがプログラム可能デバイスにおいて実行されると、本発明による方法のステップを実施する命令又はコード部を含む、コンピュータプログラムに関する。
【００３９】
コンピュータプログラムに関する特徴及び利点は、本発明による方法及び装置に関連して上述したものと同じであるので、ここでは繰り返さないことにする。
【００４０】
本発明の特徴は、一例の実施形態の以下の説明を読むことによってより明らかになるであろう。この説明は、添付図面に関して作成されたものである。
【図面の簡単な説明】
【００４１】
【図１】本発明が実施される無線リンクを表す図である。
【図２】本発明が実施される送信元のアーキテクチャを表す図である。
【図３】送信元の無線インターフェースの構成要素のブロック図である。
【図４】本発明による送信元のフレームビルダのブロック図である。
【図５】本発明によるパイロットシーケンスとデータの多重化の一例を示す図である。
【図６】本発明による、多入力送信方式が用いられるときのパイロットシーケンスとデータの多重化の一例を示す図である。
【図７】本発明が実施される受信機のアーキテクチャを表す図である。
【図８】受信機の無線インターフェースの構成要素のブロック図である。
【図９】本発明による、送信元によって実行されるアルゴリズムの一例を示す図である。
【図１０】本発明による、宛先によって実行されるアルゴリズムの一例を示す図である。
【発明を実施するための形態】
【００４２】
図１は、本発明が実施される無線リンクを表している。
【００４３】
本発明は、送信元Ｓｒｃによって転送される信号が受信機Ｒｅｃにブロードキャストされる一例において開示される。送信元Ｓｒｃは、衛星Ｓｔ又は地上送信機Ｔｔに含めることができる。
【００４４】
簡単にするために、図１には１つの衛星Ｓｔと１つの地上送信機Ｓｔしか示されていないが、無線リンクはより多くの数の衛星Ｓｔ及び／又は地上送信機Ｓｔを含むことができる。
【００４５】
簡単にするために、図１には１つの受信機Ｒｅｃしか示されていないが、信号はより多くの数の受信機Ｒｅｃにブロードキャストされる。
【００４６】
受信機Ｒｅｃは移動端末とすることができ、ビデオ信号のようなデータがブロードキャストされる。
【００４７】
データと、送信元と１つの受信機との間の無線リンクの推定を可能にする情報とが、シングルキャリア直交周波数分割多重方式（ＳＣ−ＯＦＤＭ）を用いて転送される。
【００４８】
本発明によれば、送信元Ｓｒｃは、以下のステップを実行する。
−  １つのハイブリッドシンボルを形成する。この１つのハイブリッドシンボルは、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成され、少なくとも１つのパイロットシーケンスは、当該少なくとも１つのパイロットシーケンスにわたって離散フーリエ変換を行った後に得られる振幅の変動が制限されているという特性を有する。
−  他のシンボルを離散フーリエ変換されたデータのみによって形成する。
−  直交周波数分割多重変調されたシンボルを形成するために、シンボルの直交周波数分割多重変調を行う。
−  直交周波数分割多重変調されたシンボルを転送する。
【００４９】
本発明によれば、受信機Ｒｅｃは、以下のステップを実行する。
−  受信されたシンボルを周波数領域において拡散する。
−  少なくとも１つのハイブリッドシンボルであって、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成される、少なくとも１つのハイブリッドシンボルについて、上記少なくとも１つのパイロットシーケンスがマッピングされるサブキャリア上のリンクを推定する。なお、少なくとも１つのパイロットシーケンスは、当該少なくとも１つのパイロットシーケンスにわたって離散フーリエ変換を行った後に得られる振幅の変動が制限されているという特性を有する。
−  上記少なくとも１つのハイブリッドシンボルであって、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成される、少なくとも１つのハイブリッドシンボルについて、データがマッピングされるサブキャリア上のチャネルの推定を可能にするために、周波数補間及び平滑化を行うことによって全てのサブキャリアについてチャネル応答を推定する。
−  他のシンボルについて、１つのハイブリッドシンボルについて行われた１つの推定又は複数のハイブリッドシンボルについて行われた複数の推定に少なくとも基づいて、チャネル応答を推定する。
【００５０】
図２は、本発明が実施される送信元のアーキテクチャを表す図である。
【００５１】
送信元Ｓｒｃは、例えば、バス２０１によって互いに接続される構成要素と、図９に開示するようなプログラムによって制御されるプロセッサ２００とに基づくアーキテクチャを有する。
【００５２】
ここで、送信元Ｓｒｃは、専用集積回路に基づくアーキテクチャを有することもできることに留意されたい。
【００５３】
バス２０１は、プロセッサ２００を、読み出し専用メモリＲＯＭ２０２、ランダムアクセスメモリＲＡＭ２０３、及び無線インターフェース２０５にリンクする。
【００５４】
メモリ２０３は、変数と図９に開示するようなアルゴリズムに関連したプログラムの命令とを収容するように意図されたレジスタを含む。
【００５５】
プロセッサ２００は、無線インターフェース２０５の動作を制御する。
【００５６】
読み出し専用メモリ２０２は、図９に開示するようなアルゴリズムに関連したプログラムの命令を含む。これらの命令は、送信元Ｓｒｃに電源が投入されるとランダムアクセスメモリ２０３に転送される。
【００５７】
無線インターフェース２０５は、多重化されたデータと、本発明による少なくとも１つのパイロットシーケンスとを、少なくとも１つの受信機Ｒｅｃに転送する手段を備える。
【００５８】
無線インターフェース２０５は、図３に開示されるような構成要素を備える。
【００５９】
図３は、送信元の無線インターフェースの構成要素のブロック図を開示している。
【００６０】
送信されるデータは、基本シンボル（elementary symbol）のセットを与える符号化／変調モジュール３０によってインターリーブされ、符号化され、基本シンボルとして編成される。
【００６１】
実現の一変形形態では、符号化／変調モジュールは、２つの基本シンボルのうちの１つについて、所定の角度値のコンステレーションシフトを行う。
【００６２】
変調が４位相偏移変調である場合、所定の値は４５に等しい。
【００６３】
次に、基本シンボルは、ＤＦＴ（離散フーリエ変換）モジュール３１によって周波数領域において拡散される。一変形形態では、ＤＦＴモジュールは、高速フーリエ変換モジュール又は他の任意の処理モジュールに置き換えられる。
【００６４】
周波数領域において拡散された基本シンボルは、フレームビルダ３２によって周波数帯域に含まれるサブキャリアにマッピングされる。フレームビルダ３２は、拡散された基本シンボルと少なくとも１つのパイロットシーケンスとをマージし、拡散された基本シンボルと少なくとも１つのパイロットシーケンスとをマージしたものを、周波数帯域に含まれるサブキャリアにマッピングする。フレームビルダ３２は、図４を参照してより詳細に開示される。
【００６５】
フレームビルダ３２から供給される信号は、１つ又は複数のアンテナを通じて転送される前にＯＦＤＭ変調モジュール３３によって処理される。
【００６６】
図３には図示していない任意選択のサイクリックプレフィックス挿入モジュールを、送信元Ｓｒｃのアンテナを通じた送信の前に適用することができる。
【００６７】
ＳＣ−ＯＦＤＭシンボルは、データの基本シンボルを第１の拡散モジュールによって時間領域から周波数領域に拡散し、拡散された基本シンボルを少なくとも１つのパイロットシーケンスとマージするか又はマージせず、拡散された基本シンボルをマージしたもの又は拡散された基本シンボルを、直交周波数分割多重モジュールを用いて変調することによって得られる。
【００６８】
図４は、本発明による送信元のフレームビルダのブロック図を開示している。
【００６９】
フレームビルダ３２は、パイロットシーケンス生成モジュール４０を備える。パイロットシーケンスは、シーケンスにわたってＤＦＴを行った後にもほぼ一定の振幅が得られるという特性を有する。すなわち、パイロットシーケンスは、上記少なくとも１つのパイロットシーケンスにわたって離散フーリエ変換を行った後に得られる振幅の変動が制限されているという特性を有する。
【００７０】
振幅が一定であるか又は平均振幅値から多くとも＋５０パーセント変動する場合、振幅の変動は制限されているといえる。
【００７１】
ここで、振幅は２乗値ではなく絶対値であることに留意されたい。
【００７２】
例えば、パイロットシーケンスは、Ｚａｄｏｆｆ−Ｃｈｕシーケンスのようなパイロットシーケンスである。Ｚａｄｏｆｆ−Ｃｈｕシーケンスは、３つの整数Ｎ、ｐ、及びｌによってパラメータ化される。
【００７３】
Ｚａｄｏｆｆ−Ｃｈｕシーケンスは、以下の公式から導出される。
【数２】
2013529015.tif 000004
【００７４】
上式において、Ｎはシーケンスの長さであり、ｐはシーケンスのインデックスであり、ｌはシーケンスの（時間）シフトである。
【００７５】
ｌが０に等しい場合、そのようなシーケンスは、ルート（ｐ）シーケンスとして知られている。
【００７６】
Ｚａｄｏｆｆ−Ｃｈｕシーケンスは、完全な自己相関、ｐ及びｌを変化させることによる良好な相互相関、時間次元及び周波数次元の双方における低い包絡線変動のような幾つかの興味のある特徴を示す。
【００７７】
一変形形態では、少なくとも１つのパイロットシーケンスは、ETSI ETS 300 401 (second edition, May 1997)又はETSI EN 300 401 (V1.4.1, June 2006)の「Radio broadcasting systems; Digital Audio Broadcasting (DAB) to mobile, portable and fixed receivers」という文献に開示されているパイロットシーケンスのようなものである。
【００７８】
本発明の特定の実現態様によれば、フレームビルダ３２は、パイロットシーケンスをサンプリング周期期間の２分の１だけシフトする半周期シフトモジュール４１を備える。
【００７９】
この例において、Ｚａｄｏｆｆ−Ｃｈｕシーケンスが用いられる場合、半周期シフトモジュール４１によって与えられるシーケンスは、以下のとおりである。
【数３】
2013529015.tif 000005
【００８０】
サンプル周期の２分の１の時間シフトは、周波数領域では−πｋ／Ｎに等しい位相傾斜に対応する。
【００８１】
ここで、半周期シフトモジュール４１によって与えられるシーケンスは、以下のようにすることもできることに留意されたい。
【数４】
2013529015.tif 000006
【００８２】
シフトされたパイロットシーケンスは、マルチプレクサ４２によってデータと多重化される。
【００８３】
本発明によれば、所与の数のＳＣ−ＯＦＤＭシンボル内において、１つのハイブリッドシンボルは、少なくとも１つのパイロットシーケンスと、離散フーリエ変換されたデータとから構成される。少なくとも１つのパイロットシーケンスは、ハイブリッドシンボルがマッピングされるサブキャリアの少なくとも一部の中の２つのうちの１つのサブキャリアにマッピングされる。離散フーリエ変換されたデータは、少なくとも１つのパイロットシーケンスがマッピングされる２つのサブキャリアの間に含まれるサブキャリアに少なくともマッピングされる。他のシンボルは、データのみから構成される。
【００８４】
そのような多重化の一例が図５に示されている。
【００８５】
図５は、本発明によるパイロットシーケンスとデータの多重化の一例を開示している。
【００８６】
時間領域を表す横軸には、Ｓｙ１〜Ｓｙ１６で示される複数のＳＣ−ＯＦＤＭシンボルが表されている。
【００８７】
縦軸は、ＳＣ−ＯＦＤＭシンボルがマッピングされるサブキャリアＳｃ１〜Ｓｃ１１を表している。
【００８８】
図５は、１１個のサブキャリアが示される例を示している。本発明は、サブキャリアがそれよりも多いか又はそれよりも少ないときにも適用可能である。
【００８９】
縦のハッチングが施された正方形は、所与のＳＣ−ＯＦＤＭシンボルについて、少なくとも１つのパイロットシーケンスがマッピングされるサブキャリアを表している。
【００９０】
他の正方形は、データがマッピングされるサブキャリアを表している。
【００９１】
図５の例では、６つのＳＣ−ＯＦＤＭシンボル内において、１つのＳＣ−ＯＦＤＭシンボルは、少なくとも１つのシフトされたパイロットシーケンスからなる。この少なくとも１つのシフトされたパイロットシーケンスは、ＳＣ−ＯＦＤＭシンボルがマッピングされるサブキャリアの２つのうちの１つにマッピングされる。データは他のサブキャリアにマッピングされる。
【００９２】
ＳＣ−ＯＦＤＭシンボルＳｙ１、Ｓｙ７、及びＳｙ１３は、サブキャリアＳｃ１、Ｓｃ３、Ｓｃ５、Ｓｃ７、Ｓｃ９、及びＳｃ１１にマッピングされる少なくとも１つのパイロットシーケンスと、サブキャリアＳｃ２、Ｓｃ４、Ｓｃ６、Ｓｃ８、及びＳｃ１０にマッピングされるデータとから構成される。
【００９３】
ここで、ＳＣ−ＯＦＤＭシンボルＳｙ１、Ｓｙ７、及びＳｙ１３のサブキャリアＳｃ１、Ｓｃ３、Ｓｃ５、Ｓｃ７、Ｓｃ９、及びＳｃ１１に同じパイロットシーケンスをマッピングすることもできるし、ＳＣ−ＯＦＤＭシンボルＳｙ１、Ｓｙ７、及びＳｙ１３のサブキャリアＳｃ１、Ｓｃ３、Ｓｃ５、Ｓｃ７、Ｓｃ９、及びＳｃ１１に異なるパイロットシーケンスをマッピングすることもできることに留意されたい。
【００９４】
ここで、少なくとも１つのシンボルＳｙ１、Ｓｙ７、及びＳｙ１３について、サブキャリアに割り当てられる電力は、均等に配分されなくてもよいことに留意されたい。
【００９５】
例えば、サブキャリアＳｃ２、Ｓｃ４、Ｓｃ６、Ｓｃ８、及びＳｃ１０について、これらのサブキャリアに割り当てられる電力は、少なくとも１つのＳＣ−ＯＦＤＭシンボルＳｙ１、Ｓｙ７、及びＳｙ１３のサブキャリアＳｃ１、Ｓｃ３、Ｓｃ５、Ｓｃ７、Ｓｃ９、及びＳＣ１１に割り当てられる電力よりも高い。すなわち、１つ又は複数のパイロットシーケンス用の電力よりも多くの電力がデータ用に割り当てられる。
【００９６】
例えば、サブキャリアＳｃ１、Ｓｃ３、Ｓｃ５、Ｓｃ７、Ｓｃ９、及びＳＣ１１について、これらのサブキャリアに割り当てられる電力は、少なくとも１つのＳＣ−ＯＦＤＭシンボルＳｙ１、Ｓｙ７、及びＳｙ１３のサブキャリアＳｃ２、Ｓｃ４，Ｓｃ８、及びＳｃ１０に割り当てられる電力よりも高い。すなわち、データ用よりも多くの電力が１つ又は複数のパイロットシーケンス用に割り当てられる。
【００９７】
ＳＣ−ＯＦＤＭシンボルＳｙ２〜Ｓｙ６、Ｓｙ８〜Ｓｙ１２、及びＳｙ１４〜Ｓｙ１６は、サブキャリアＳｃ１〜Ｓｃ１１にマッピングされるデータから構成される。
【００９８】
フレームビルダ３２は、マルチプレクサ４４の出力をヌルデータ及び／又は連続したパイロットシーケンスと多重化する別のマルチプレクサ４４を備える。
【００９９】
多重化は、コントローラ４３によって制御される。
【０１００】
本発明は、例えば、２つ以上の送信アンテナを用いた、IEEE J. Select. Areas Communications, vol. 16, pp. 1451-1458, October 1998に掲載されたS.M. Alamoutiの「A simple transmit diversity technique for wireless communications」という題名の論文で提案されたものと同様の多入力多出力（ＭＩＭＯ）送信方式においても適用可能である。
【０１０１】
異なるアンテナには異なるＺａｄｏｆｆ−Ｃｈｕシーケンスを用いることができる。アンテナが２つの場合、ｋを第１のアンテナによって送信されるサブキャリアのインデックスとして、ｘｋが周波数領域において規定されたパイロットシーケンスである場合、第２のアンテナはパイロットシーケンス（−１）ｋｘｋｅｉθを送信する。ここで、θは所定の定数値である。
【０１０２】
本発明の別の実現態様では、パイロットシーケンスは、図６に示すように送信アンテナにおいて周波数多重化される。
【０１０３】
図６は、本発明による、多入力多出力送信方式が用いられるときのパイロットシーケンスとデータとの多重化の一例を開示している。
【０１０４】
時間領域を表す横軸には、Ｓｙ１〜Ｓｙ１６で示される複数のＳＣ−ＯＦＤＭシンボルが表されている。
【０１０５】
縦軸は、ＳＣ−ＯＦＤＭシンボルがマッピングされるサブキャリアＳｃ１〜Ｓｃ１１を表している。
【０１０６】
図６は、１１個のサブキャリアが示される例を示している。本発明は、サブキャリアがそれよりも多いか又はそれよりも少ないときにも適用可能である。
【０１０７】
縦のハッチングが施された正方形は、所与のＳＣ−ＯＦＤＭシンボルについて、少なくとも１つのパイロットシーケンスがマッピングされる、第１の送信アンテナ用のサブキャリアを表している。
【０１０８】
縦のハッチングが施された正方形は、所与のＳＣ−ＯＦＤＭシンボルについて、少なくとも１つの他のパイロットシーケンスがマッピングされる、第２の送信アンテナ用のサブキャリアを表している。他のパイロットシーケンスは、第１の送信アンテナ用のサブキャリアにマッピングされたパイロットシーケンス又は各パイロットシーケンスと異なっていてもよいし異ならなくてもよい。
【０１０９】
ここで、少なくとも１つのシンボルＳｙ１、Ｓｙ７、及びＳｙ１３について、サブキャリアに割り当てられる電力は、均等に分布しなくてもよいことに留意されたい。
【０１１０】
例えば、サブキャリアＳｃ２、Ｓｃ４、Ｓｃ６、Ｓｃ８、及びＳｃ１０について、これらのサブキャリアに割り当てられる電力は、少なくとも１つのＳＣ−ＯＦＤＭシンボルＳｙ１、Ｓｙ７及びＳｙ１３のサブキャリアＳｃ１、Ｓｃ３、Ｓｃ５、Ｓｃ７、Ｓｃ９、及びＳｃ１１に割り当てられる電力よりも高い。すなわち、１つ又は複数のパイロットシーケンス用の電力よりも多くの電力がデータ用に割り当てられる。
【０１１１】
例えば、サブキャリアＳｃ１、Ｓｃ３、Ｓｃ５、Ｓｃ７、Ｓｃ９、及びＳｃ１１について、これらのサブキャリアに割り当てられる電力は、少なくとも１つのＳＣ−ＯＦＤＭシンボルＳｙ１、Ｓｙ７、及びＳｙ１３のサブキャリアＳｃ２、Ｓｃ４，Ｓｃ８、及びＳｃ１０に割り当てられる電力よりも高い。すなわち、データ用よりも多くの電力が１つ又は複数のパイロットシーケンス用に割り当てられる。
【０１１２】
他の正方形は、データがマッピングされるサブキャリアを表している。
【０１１３】
図６の例では、６つのＳＣ−ＯＦＤＭシンボル内において、１つのＳＣ−ＯＦＤＭシンボルは、少なくとも１つのシフトされたパイロットシーケンスから構成される。この少なくとも１つのシフトされたパイロットシーケンスは、ＳＣ−ＯＦＤＭシンボルがマッピングされるサブキャリアの２つのうちの１つにマッピングされる。データは他のサブキャリアにマッピングされる。
【０１１４】
ＳＣ−ＯＦＤＭシンボルＳｙ１、Ｓｙ７、及びＳｙ１３は、サブキャリアＳｃ１、Ｓｃ５、及びＳｃ９にマッピングされる少なくとも１つのパイロットシーケンスと、サブキャリアＳｃ３、Ｓｃ７、及びＳｃ１１にマッピングされる少なくとも１つのパイロットシーケンスと、サブキャリアＳｃ２、Ｓｃ４、Ｓｃ６、Ｓｃ８、及びＳｃ１０にマッピングされるデータとから構成される。
【０１１５】
ここで、少なくとも２つのハイブリッドＳＣ−ＯＦＤＭシンボルについて、同じ１つ又は複数のパイロットシーケンスをサブキャリアＳｃ１、Ｓｃ３、Ｓｃ５、Ｓｃ７、Ｓｃ９、及びＳｃ１１にマッピングすることもできることに留意されたい。
【０１１６】
ここで、少なくとも１つのハイブリッドＳＣ−ＯＦＤＭシンボルについて、サブキャリアにマッピングされる１つ又は複数のパイロットシーケンスは、少なくとも１つの他のハイブリッドＳＣ−ＯＦＤＭシンボルにマッピングされる１つ又は複数のパイロットシーケンスと異なっていてもよいことに留意されたい。
【０１１７】
ＳＣ−ＯＦＤＭシンボルＳｙ２〜Ｓｙ６、Ｓｙ８〜Ｓｙ１２、及びＳｙ１４〜Ｓｙ１６は、サブキャリアＳｃ１〜Ｓｃ１１にマッピングされるデータから構成される。
【０１１８】
ここで、一方のアンテナを通じて転送されるデータは、他方のアンテナを通じて転送されるデータとは異なっていてもよいことに留意されたい。
【０１１９】
図７は、本発明が実施される受信機のアーキテクチャを表す図である。
【０１２０】
受信機Ｒｅｃは、例えば、バス７０１によって互いに接続される構成要素と、図１０に開示するようなプログラムによって制御されるプロセッサ７００とに基づくアーキテクチャを有する。
【０１２１】
ここで、受信機Ｒｅｃは、専用集積回路に基づくアーキテクチャを有することができることに留意されたい。
【０１２２】
バス７０１は、プロセッサ７００を、読み出し専用メモリＲＯＭ７０２、ランダムアクセスメモリＲＡＭ７０３、及び無線インターフェース７０５にリンクする。
【０１２３】
メモリ７０３は、変数と図１０に開示するようなアルゴリズムに関連したプログラムの命令とを収容するように意図されたレジスタを含む。
【０１２４】
プロセッサ７００は、無線インターフェース７０５の動作を制御する。
【０１２５】
読み出し専用メモリ７０２は、図１０に開示するようなアルゴリズムに関連したプログラムの命令を含む。これらの命令は、受信機Ｒｅｃに電源が投入されるとランダムアクセスメモリ７０３に転送される。
【０１２６】
無線インターフェース７０５は、多重化されたデータと本発明によるパイロットシーケンスとを受信機Ｒｅｃに転送する手段を備える。
【０１２７】
無線インターフェース７０５は、図８に開示されるような構成要素を備える。
【０１２８】
図８は、受信機の無線インターフェースの構成要素のブロック図を開示している。
【０１２９】
図８は、周波数領域における本発明の一実施態様例を開示している。
【０１３０】
無線インターフェースは、この無線インターフェース７０５のＤＦＴモジュール８０及びチャネル推定モジュール８２を受信シンボルに対して同期させる同期モジュール８１を備える。
【０１３１】
ＤＦＴモジュール８０は、受信されたシンボルを時間領域から周波数領域に変換する。
【０１３２】
変換された受信シンボルは、チャネル推定モジュール８２とチャネル等化器８３に供給される。
【０１３３】
チャネル推定モジュール８２は、パイロットシーケンス位置におけるチャネル推定モジュール８７と、周波数補間／平滑化モジュール８８と、時間補外モジュール８９とを備える。
【０１３４】
チャネル推定モジュール８７は、図５の例によれば、パイロットシーケンス位置において、サブキャリアＳｃ１、Ｓｃ３、Ｓｃ５、Ｓｃ７、Ｓｃ９、及びＳｃ１１上のチャネルを推定する。
【０１３５】
パイロットとデータを含むシンボル、すなわちハイブリッドシンボルの場合、チャネル応答は、データを保持するサブキャリア上のチャネルの推定を可能にするために、周波数補間／平滑化モジュール８８によって周波数次元において補間を行うことによって、全てのサブキャリアについて推定される。周波数補間／平滑化モジュール８８は、推定雑音を低減するために、周波数領域の平滑化を行う。同じフィルタ、例えばウィナーフィルタを双方の操作に用いることができる。
【０１３６】
時間補外モジュール８９は、他のシンボルについて、１つのハイブリッドシンボルについて行われた１つの推定又は複数のハイブリッドシンボルについて行われた複数の推定に少なくとも基づいて、チャネル応答を推定する。
【０１３７】
例えば、時間補外モジュール８９は、２つのハイブリッドシンボルの間に含まれるシンボルについて時間補間を行うか、或いは１つ又は複数のハイブリッドシンボルについて行われた推定を、離散フーリエ変換されたデータのみからなる他のシンボルについて繰り返す。
【０１３８】
ここで、モジュール８８と８９の処理順序は、逆にすることができることに留意されたい。
【０１３９】
ここで、モジュール８８と８９によって行われる処理は、統合することもできることに留意されたい。
【０１４０】
チャネル推定モジュール８２の出力は、チャネル等化器８３に供給され、チャネル等化器８３は、変換された受信シンボルに対してチャネル等化を行う。
【０１４１】
等化されたシンボルは、逆拡散モジュール８４によって逆拡散される。
【０１４２】
逆拡散モジュール８４の出力は、図３のフレームビルダ３２によって実行される操作とは逆の操作を行うフレームデマルチプレクサ８５に接続されている。フレームデマルチプレクサ８５は、データシンボルとパイロットシーケンスとを多重分離し、周波数帯域に含まれるサブキャリアに対してデータとパイロットシーケンスをデマッピングする。
【０１４３】
フレームデマルチプレクサ８５の出力は、データを少なくともデインターリーブ及び復号する復号器８６に接続されている。
【０１４４】
ここで、１つ又は複数のパイロットシーケンス又はデータがサブキャリアにマッピングされることによってサブキャリアに異なる電力が割り当てられる場合、チャネル等化器８３又はチャネル推定モジュール８２は、割り当てられた異なる電力を考慮することによってチャネル推定値を変更することに留意されたい。
【０１４５】
図９は、本発明による、送信元によって実行されるアルゴリズムの一例を開示している。
【０１４６】
本アルゴリズムは、送信元Ｓｒｃのプロセッサ２００によって実行される。
【０１４７】
ステップＳ９００において、プロセッサ２００は、データが送信元Ｓｒｃによって転送されなければならないとの通知を受ける。
【０１４８】
次のステップＳ９０１において、プロセッサ２００は、転送されるデータの処理を指示する。
【０１４９】
転送されるデータは、インターリーブされ、符号化され、シンボルとして編成される。
【０１５０】
実現の一変形形態では、所定の角度値のコンステレーションシフトが、２つの基本シンボルのうちの１つについて行われる。
【０１５１】
変調が４位相偏移変調である場合、所定の値は４５に等しい。
【０１５２】
データシンボルは、時間領域から周波数領域に拡散される。
【０１５３】
次のステップＳ９０２において、プロセッサ２００は、少なくとも１つのパイロットシーケンスを取得する。各パイロットシーケンスは、シーケンスにわたってＤＦＴを行った後にもほぼ一定の振幅が得られるという特性を有する。
【０１５４】
本発明の特定の実現態様によれば、取得された各パイロットシーケンスは、サンプリング周期期間の２分の１だけシフトされる。
【０１５５】
次のステップＳ９０３において、プロセッサ２００は、データと少なくとも１つのパイロットシーケンスとの多重化を指示する。
【０１５６】
本発明によれば、所与の数のシンボル内において、１つのハイブリッドシンボルは、ハイブリッドシンボルがマッピングされるサブキャリアの少なくとも一部の中の２つのうちの１つのサブキャリアにマッピングされる少なくとも１つのパイロットシーケンスと、少なくとも１つのパイロットシーケンスがマッピングされる２つのサブキャリアの間に含まれるサブキャリアに少なくともマッピングされる離散フーリエ変換されたデータとから構成される。他のシンボルは、離散フーリエ変換されたデータのみから構成される。
【０１５７】
次のステップＳ９０４において、プロセッサ２００は、直交周波数分割多重変調されたシンボルを形成するためにシンボルの直交周波数分割多重変調を指示し、直交周波数分割多重変調されたシンボルの転送を指示する。
【０１５８】
図１０は、本発明による、宛先によって実行されるアルゴリズムの一例を開示している。
【０１５９】
本アルゴリズムは、受信機Ｒｅｃのプロセッサ７００によって実行される。
【０１６０】
ステップＳ１００において、プロセッサ７００は、受信シンボルを表す信号が受信されたという通知を受ける。
【０１６１】
次のステップＳ１０１において、プロセッサ７００は、受信シンボルの処理を指示する。受信シンボルは、ＤＦＴを用いて時間領域から周波数領域に変換され、チャネル推定モジュールに供給される。
【０１６２】
次のステップＳ１０２において、プロセッサ７００は、少なくとも１つのハイブリッドシンボルであって、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成される、ハイブリッドシンボルについて、少なくとも１つのパイロットシーケンスがマッピングされるサブキャリア上のリンクの推定を指示する。
【０１６３】
次のステップＳ１０３において、プロセッサ７００は、少なくとも１つのハイブリッドシンボルであって、当該ハイブリッドシンボルがマッピングされるサブキャリアの少なくとも一部の中の２つのうちの１つのサブキャリアにマッピングされる少なくとも１つのパイロットシーケンスと、当該少なくとも１つのパイロットシーケンスがマッピングされる２つのサブキャリアの間に含まれるサブキャリアに少なくともマッピングされる離散フーリエ変換されたデータとから構成される、ハイブリッドシンボルについて、データがマッピングされるサブキャリア上のチャネルの推定を可能にするために、周波数補間及び平滑化を行うことによって全てのサブキャリアについてチャネル応答の推定を指示する。周波数補間及び平滑化は、推定雑音を低減するために周波数領域の平滑化を行う。
【０１６４】
次のステップＳ１０４において、プロセッサ７００は、他のシンボルについて、１つのハイブリッドシンボルについて行われた１つの推定又は複数のハイブリッドシンボルについて行われた複数の推定に少なくとも基づく、チャネル応答の補外を指示する。
【０１６５】
例えば、時間補間が２つのハイブリッドシンボルの間に含まれるシンボルについて行われるか、或いは１つ又は複数のハイブリッドシンボルについて行われた推定と同じものが、離散フーリエ変換されたデータのみからなるシンボルについて実行される。
【０１６６】
ステップＳ１０３とＳ１０４の順序を逆にすることもできるし、ステップＳ１０３と１０４を統合することもできることに留意されたい。
【０１６７】
当然のことながら、本発明の範囲から逸脱することなく、上述した本発明の実施形態に対して多くの変更を行うことができる。
【図１】
2013529015.tif 000007
【図２】
2013529015.tif 000008
【図３】
2013529015.tif 000009
【図４】
2013529015.tif 000010
【図５】
2013529015.tif 000011
【図６】
2013529015.tif 000012
【図７】
2013529015.tif 000013
【図８】
2013529015.tif 000014
【図９】
2013529015.tif 000015
【図１０】
2013529015.tif 000016
【国際調査報告】
2013529015.tif 000017
2013529015.tif 000018
2013529015.tif 000019